【手続補正書】
【提出日】平成27年6月17日(2015.6.17)
【手続補正１】
【補正対象書類名】明細書
【補正対象項目名】００１４
【補正方法】変更
【補正の内容】
【００１４】
【図１】本開示の一実施の形態に係る表示装置の構成を表す断面図である。
【図２】図１に示した表示装置の全体構成を表す図である。
【図３】図２に示した画素駆動回路の一例を表す図である。
【図４】配線層の短絡部の平面図（Ａ）および断面図（Ｂ）を表す模式図である。
【図５】図４に示した短絡部を切断した際の平面図（Ａ）および断面図（Ｂ）を表す模式図である。
【図６】図１に示した表示装置の製造方法の一部の工程順を表す流れ図である。
【図７】印加電圧と端子間電流との関係を表す特性図である。
【図８】本開示の実施例および比較例の切断部における絶縁破壊発生率の関係を表す特性図である。
【図９】ハーフアッシング時間と平均リーク電流との関係を表す特性図である。
【図１０】本開示の表示装置の配線レイアウトの一例を表す図である。
【図１１】本開示の表示装置の配線レイアウトの他の例を表す図である。
【図１２】本開示の表示装置におけるコンタクト部の断面図である。
【図１３Ａ】図１２に示したコンタクト部の切断工程を説明する断面図である。
【図１３Ｂ】図１２に示したコンタクト部を画素電極材料で埋めた断面図である。
【図１４】本開示の変形例に係る表示装置の構成を表す断面図である。
【図１５】本開示の変形例に係る表示装置の製造方法の一部の工程順を表す流れ図である。
【図１６Ａ】図１５に示した第１レーザ照射の工程を表す模式図である。
【図１６Ｂ】図１５に示した第２レーザ照射の工程を表す模式図である。
【図１７】本開示の実施の形態および変形例におけるハーフアッシング時間と平均リーク電流との関係を表す特性図である。
【図１８Ａ】上記実施の形態等の表示装置の適用例１の表側から見た外観を表す斜視図である。
【図１８Ｂ】上記実施の形態等の表示装置の適用例１の裏側から見た外観を表す斜視図である。
【図１９】適用例２の外観を表す斜視図である。
【図２０Ａ】適用例３の表側から見た外観を表す斜視図である。
【図２０Ｂ】適用例３の裏側から見た外観を表す斜視図である。
【図２１】適用例４の外観を表す斜視図である。
【図２２】適用例５の外観を表す斜視図である。
【図２３Ａ】適用例６の閉じた状態の正面図、左側面図、右側面図、上面図および下面図である。
【図２３Ｂ】適用例６の開いた状態の正面図および側面図である。
【手続補正２】
【補正対象書類名】明細書
【補正対象項目名】００１５
【補正方法】変更
【補正の内容】
【００１５】
以下、本開示における実施の形態について図面を参照して詳細に説明する。なお、説明は以下の順序で行う。
１。実施の形態（短絡部をレーザ照射とハーフアッシングによって切断する例）
１−１．表示装置の全体構成
１−２．製造方法
１−３．作用・効果
２．変形例（レーザ照射を複数繰り返す例）
３．適用例（表示装置および電子機器の例）
【手続補正３】
【補正対象書類名】明細書
【補正対象項目名】００２１
【補正方法】変更
【補正の内容】
【００２１】
図４（Ａ），（Ｂ）は、この切断部Ａを形成する前の平面構成（Ａ）および図４（Ａ）のＩ−Ｉ線における断面構成（Ｂ）をそれぞれ表したものである。配線２５Ｃは、例えば隣り合う２本の直線状の配線２５Ｃ1および配線２５Ｃ2により構成されており、これら配線２５Ｃ1，２５Ｃ2の間には短絡部２５Ｘが生じている。図１は、この短絡部２５Ｘによって配線２５Ｃ1，２５Ｃ2が接合された位置に切断部Ａが形成された構造を表している。
【手続補正４】
【補正対象書類名】明細書
【補正対象項目名】００５８
【補正方法】変更
【補正の内容】
【００５８】
前述のように、線欠陥や輝点は表示装置の見栄えを大きく損なう重大な不良であり、例えば信号線１２０Ａと電源ライン（ＧＮＤ）とが短絡した場合には線欠陥不良が発生する。この不良を救済するためには、例えば信号線１２０ＡとＧＮＤとの短絡部Ｘを切断（切断箇所Ａ）するか、短絡部Ｘ前後のＧＮＤを切断（切断箇所Ｂ）して短絡部Ｘと共に信号線１２０Ａの一部とし、対応する発光素子１０Ｗを電気的にフローティングな状態として黒点化する方法が考えられる。これら切断箇所Ａ，Ｂは、それぞれ図３，１１におけるＯ−Ｏ線（切断箇所Ａ）、Ｐ−Ｐ線，Ｑ−Ｑ線（切断箇所Ｂ）である。
【手続補正５】
【補正対象書類名】明細書
【補正対象項目名】００５９
【補正方法】変更
【補正の内容】
【００５９】
なお、黒点化する際には、ＧＮＤ等の共通電位線が接続されているコンタクトホールおよび陽極または陰極として画素駆動回路１４０と発光素子１０Ｗとを接続するコンタクトホール（図１０，１１中の■）を各接続先から切り離す必要がある。コンタクトホールを切り離す方法としては、図１３Ａ，図１３Ｂに示したように、コンタクト領域にレーザ光を照射して開口Ｐを形成（図１３Ａ）したのち、この開口Ｐ内に有機樹脂等の絶縁材料を埋設（図１３Ｂ）すればよい。図１３Ａようにレーザ光によって開口Ｐを形成する際にコンタクトホールの下層に配線層２１，２５，２７やチャネル層２３があると層間短絡が発生するため駆動側のコンタクトホールについては層間短絡が生じた配線を走査線１２０Ａから切り離す。また、走査線１２０Ａの切り離し部分と共通電位線のコンタクトホール下については層間短絡を回避するために配線層２１，２５，２７またはチャネル層２３の少なくとも一方が切断箇所に存在しないようなレイアウトとする。これにより、発光素子１０Ｗは電気的にフローティング状態となって黒点化する。
【手続補正６】
【補正対象書類名】明細書
【補正対象項目名】００７０
【補正方法】変更
【補正の内容】
【００７０】
（適用例２）
図１９は、適用例２に係るテレビジョン装置の外観を表したものである。このテレビジョン装置は、例えば、フロントパネル２１０およびフィルターガラス２２０を含む映像表示画面部２００を有しており、映像表示画面２００が、上記表示装置に相当する。
【手続補正７】
【補正対象書類名】明細書
【補正対象項目名】００７１
【補正方法】変更
【補正の内容】
【００７１】
（適用例３）
図２０Ａは、適用例３に係るデジタルカメラの外観を表側から、図２０Ｂは裏側から表したものである。このデジタルカメラは、例えば、フラッシュ用の発光部３１０、上記表示装置としての表示部３２０、メニュースイッチ３３０およびシャッターボタン３４０を有している。
【手続補正８】
【補正対象書類名】明細書
【補正対象項目名】００７２
【補正方法】変更
【補正の内容】
【００７２】
（適用例４）
図２１は、適用例４に係るノート型パーソナルコンピュータの外観を表したものである。このノート型パーソナルコンピュータは、例えば、本体４１０，文字等の入力操作のためのキーボード４２０および上記表示装置としての表示部４３０を有している。
【手続補正９】
【補正対象書類名】明細書
【補正対象項目名】００７３
【補正方法】変更
【補正の内容】
【００７３】
（適用例５）
図２２は、適用例５に係るビデオカメラの外観を表したものである。このビデオカメラは、例えば、本体部５１０，この本体部５１０の前方側面に設けられた被写体撮影用のレンズ５２０，撮影時のスタート／ストップスイッチ５３０および上記表示装置としての表示部５４０を有している。
【手続補正１０】
【補正対象書類名】明細書
【補正対象項目名】００７４
【補正方法】変更
【補正の内容】
【００７４】
（適用例６）
図２３Ａは、適用例６に係る携帯電話機の閉じた状態における正面図、左側面図、右側面図、上面図および下面図を表したものである。図２３Ｂは、携帯電話機の開いた状態における正面図および側面図を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。ディスプレイ７４０またはサブディスプレイ７５０が、上記表示装置に相当する。